(57)【要約】【課題】  内容物を容易に収容、取り出しできる包装用手提げ袋を実現する。【解決手段】  底板２に対して側板３、４を立設すると共に側板上方に提げ手７を設けたシート状素材よりなる上面開放の包装用手提げ袋において、側板の周側に谷折れ線として作用する折れ筋Ｌ２、Ｌ４と山折れ線として作用する折れ筋Ｌ１、Ｌ３を上下方向に交互に連続して複数設けることにより、袋体を上下方向に蛇腹状に伸縮可能とする。【選択図】      図１
2008195432.tif 000002
【特許請求の範囲】
【請求項１】
底板に対して側板を立設すると共に側板上方に提げ手を設けたシート状素材よりなる上面開放の袋体において、側板の周側に谷折れ線として作用する折れ筋と山折れ線として作用する折れ筋を上下方向に交互に連続して複数設けることにより、袋体を上下方向に蛇腹状に伸縮可能としたことを特徴とする包装用手提げ袋。
【請求項２】
矩形の底板の四辺に対して側板を立設することにより袋体を構成した請求項１記載の包装用手提げ袋。
【請求項３】
側板に対して底板の剛性を高めると共に、底板にフラップ状に起伏する起立片を複数設け、上記起立片同士の間隔を収容されるべき箱体が起立片間に位置するように配した請求項１又は２記載の包装用手提げ袋。
【請求項４】
シート状素材は紙からなる請求項１から３のいずれかに記載の包装用手提げ袋。
【発明の詳細な説明】
【技術分野】
【０００１】
この発明は、各種の商品を持ち帰りのために収容するための包装用の手提げ袋に関し、特に紙などのシート状素材により製袋される手提げ袋に関する。
【背景技術】
【０００２】
販売した商品を店頭で手渡すに際し、包装紙に代えて商品を直接収容したり、あるいは包装した商品を収容するために、底板に対して側板を立設すると共に側板上方に提げ手を設けたシート状素材により製袋される上面開放の手提げ袋が紙製のものを中心として広く使用されている。
【０００３】
【特許文献１】特開平１１−３０１６９９号公報
【発明の開示】
【発明が解決しようとする課題】
【０００４】
前記の手提げ袋は商品を中に落とし込むだけで包装が完了し、しかも提げ手を用いて楽に持ち運びできるので店頭で商品を購買者に引き渡す際に使用する包装資材として有用であるが、包装する商品の種類によっては使いづらい点もあった。
【０００５】
例えばケーキを詰めた箱などのように、衝撃を与えたり、逆さにしたり、傾けたりすると商品を破損するおそれがあるものを収容する場合は、商品を落とし込んで袋内に収容することはできなかった。この場合は、商品やそれを詰めた箱を水平を保つように両手で保持して静かに袋内に収容する必要があったが、袋が深いので開口から下方の奥まで両手を差し入れることは困難であり、店頭で商品を販売する際に包装に手間取り、販売効率を悪化させる原因となっていた。
【０００６】
また、購買者において手提げ袋から商品やそれを詰めた箱を取り出すに際しても、袋を横にしたり逆さにしたりしてこれらを放出するというわけにはいかなかった。この場合も、商品やそれを詰めた箱を水平を保つように両手で保持して静かに袋内から上方に引き出す必要があったが、袋が深いのでやはり開口から下方の奥まで両手を差し入れることは困難であり、使い勝手が悪かった。
【課題を解決するための手段】
【０００７】
この発明は前記の問題点を解消した包装用手提げ袋を提供することを目的として創作されたものであり、底板に対して側板を立設すると共に側板上方に提げ手を設けたシート状素材よりなる上面開放の袋体において、側板の周側に谷折れ線として作用する折れ筋と山折れ線として作用する折れ筋を上下方向に交互に連続して複数設けることにより、袋体を上下方向に蛇腹状に伸縮可能としたことを特徴とする。
【０００８】
また、ここでは前記の発明において、側板に対して底板の剛性を高めると共に、底板にフラップ状に起伏する起立片を複数設け、上記起立片同士の間隔を収容されるべき箱体が起立片間に位置するように配した包装用手提げ袋を第２発明として開示する。
【発明の効果】
【０００９】
この発明の包装用手提げ袋によれば、袋体を構成する側板の周側に谷折れ線として作用する折れ筋と山折れ線として作用する折れ筋が上下方向に交互に連続して複数設けられているので、上方から袋体に下降方向の押圧力を加えれば側板を構成するシートは折れ筋により内方（谷方向）及び外方（山方向）に交互に折り込まれてジャバラ状に連続する多数の襞を形成し、押圧具合により任意の高さに伸縮することとなる（図５〜図８参照）。よって、商品を収容したり取り出したりする際に袋体の高さを縮小すれば、従来技術のように開口から下方の奥まで両手を差し入れることなく商品を横方向から楽に保持することが可能となる効果を奏する。
【００１０】
以上のようにこの発明によれば、内容物の出し入れに際して開口から下方の奥まで両手を差し入れる必要がないので、従来使い勝手の点からケーキなどの包装用としては断念せざるを得なかった、平面寸法が小さく上下寸法が大きい上下に細長い包装用手提げ袋を実現することが可能となる。その結果、ケーキの収容にあたって平面方向に拡大した箱に多数のケーキをまとめて収容するのでなく、例えば前後方向に一列、幅方向に複数列ケーキを収容する細長い箱を複数個用意して、ケーキをこれらに小分けして収容し、これらの箱を上下にスタッキングして袋内に収容するような販売方法も可能となる。また、平面寸法が小さく上下寸法が大きい上下に細長い形状を生かして、独自の意匠効果を狙った包装用手提げ袋を実現することも可能となる。
【００１１】
また、第２発明によれば、側板に対して底板の剛性を高めると共に、底板にフラップ状に起伏する起立片を複数設け、上記起立片同士の間隔を収容されるべき箱体が起立片間に位置するように配しているので、底板の起立片を立ち上げて（図９参照）これらの間に商品を収容した箱体を載置させれば（図１０〜図１２参照）起立片により箱体の移動が規制されて運搬時の振動や傾斜により箱体が袋内で踊ることが防止される効果を奏する。なお、従来技術の袋体において仮に上記のような起立片を設けても、開口から下方の奥まで両手を差し入れて箱体を袋体に収容せざるを得ない現状においては箱体を起立片間に正確に載置させることは至難であり、上記第２発明は本願発明を前提として初めてその作用・効果を実現できるものである。
【発明を実施するための最良の形態】
【００１２】
以下、この発明の包装用手提げ袋の具体的実施例を添付図面に基づいて説明する。図１〜図５は手提げ袋の伸長状態を示す図である。この発明の手提げ袋は底板２に対して側板３、３及び４、４を立設することにより上面開放の袋体とし、側板３、３上方に提げ手７、７を設けた構成よりなり、シート状素材を貼り合わせることにより構成される。また、ここでは矩形の底板２の四辺に対して前後の側板３、３及び左右の側板４、４を立設することにより直方体の袋体を構成しているが、側板の面数はこれに限られないことは勿論である。
【００１３】
以上の構成よりなる袋体の側板３、３及び４、４の周側には谷折れ線として作用する折れ筋と山折れ線として作用する折れ筋を上下方向に交互に連続して複数設けることにより、上方から袋体に下降方向の押圧力を加えた場合に、内方（谷方向）及び外方（山方向）に交互に折り込まれてジャバラ状に連続する多数の襞を側板に形成するようにしている（図５〜図８参照）。この場合、この実施例においては前後の側板３、３に設けた山折れ線として作用する折れ筋Ｌ１に連続する折れ筋として左右の側板４、４には谷折れ線として作用する折れ筋Ｌ４を、同じく前後の側板３、３に設けた谷折れ線として作用する折れ筋Ｌ２に連続する折れ筋として左右の側板４、４には山折れ線として作用する折れ筋Ｌ３を配することにより、前後の側板３、３と左右の側板４、４との角部において襞同士が折り重なるようにしている（図９参照）。
【００１４】
また、ここでは側板３、３及び４、４に対して底板２の肉厚を大きくするなどしてその剛性を高めると共に、底板にフラップ状に起伏する起立片５を複数設けている。この起立片５は底板に非切り込み部６を残して舌状に切り込みを入れることにより構成されるものであり、指先で押し上げることにより非切り込み部６をヒンジとしてフラップ状に起伏することとなる（図９参照）。そして、起立片５同士の間隔を手提げ袋内に収容されるべき箱体Ｂが起立片間に位置するように配することにより、起立した起立片により箱体の移動を阻止する（図１０〜図１２参照）。
【００１５】
なお、ここでは袋体を構成するシート状素材として紙を想定しているが、折れ筋に沿って曲がる可撓性及び展開或いは折り込まれた状態で止まる剛性を備えたものであれば紙に限られないことは勿論である。
【図面の簡単な説明】
【００１６】
【図１】この発明の包装用手提げ袋の正面図。
【図２】同上、平面図。
【図３】同上、側面図。
【図４】同上、底面図。
【図５】同上、縮小途上の正面図。
【図６】同上、縮小状態の正面図。
【図７】同上、縮小途上の側面図。
【図８】同上、縮小状態の側面図。
【図９】同上、縮小途上の分解斜視図。
【図１０】同上、折れ筋の図示を省略した使用状態の正面図。
【図１１】同上、使用状態の平面図。
【図１２】同上、折れ筋の図示を省略した使用状態の側面図。
【符号の説明】
【００１７】
Ｋ                  菓子
１                  菓子用台座
４                  フランジ部
１０                菓子置き台
２０                菓子箱
Ｔ１〜Ｔ４          突体
【図１】
2008195432.tif 000003
【図２】
2008195432.tif 000004
【図３】
2008195432.tif 000005
【図４】
2008195432.tif 000006
【図５】
2008195432.tif 000007
【図６】
2008195432.tif 000008
【図７】
2008195432.tif 000009
【図８】
2008195432.tif 000010
【図９】
2008195432.tif 000011
【図１０】
2008195432.tif 000012
【図１１】
2008195432.tif 000013
【図１２】
2008195432.tif 000014